(57)【特許請求の範囲】
【請求項１】
互いに平行に離れかつそれぞれ軸線（Ａ，Ａ′）に沿って延在する２個の駆動軸（２，２′）を有し、各駆動軸（２，２′）に対してそれぞれ同軸状に軸線方向に制限された範囲内で摺動自在に配置した２個の切替えスリーブ（３，３′）を切替え自在に設けた手工具装置の駆動装置であって、双方の切替えスリーブ（３，３′）には、それぞれ回転自在かつ軸線方向には形状ロックで移動不能に掛合する切替え伝達手段（４）を互いに切替え可能に連結し、この切替え伝達手段（４）は軸線（Ａ，Ａ′）に平行な方向にばね手段（６）によってばね負荷緊張状態にしたことを特徴とする手工具装置の駆動装置。
【請求項２】
前記切替え伝達手段（４）を、ばね手段（６）によってばね負荷緊張状態にした伝達部分(４ａ，４ｂ）によって構成し、これら伝達部分(４ａ，４ｂ）をそれぞれ板金の変形により構成した請求項１記載の手工具装置の駆動装置。
【請求項３】
前記伝達部分（４ａ，４ｂ）には、前記軸線（Ａ，Ａ′）に平行な方向に延在し、また前記軸線（Ａ，Ａ′）に平行な方向の案内を行なう案内面(７ａ，７ｂ）を設けた請求項２記載の手工具装置の駆動装置。
【請求項４】
前記ばね手段（６）を、空間を節約することができる圧縮コイルばね(６ａ，６ａ′，６ｂ，６ｂ′）として構成した請求項１乃至３のうちのいずれか一項に記載の手工具装置の駆動装置。
【請求項５】
前記圧縮コイルばね（６ａ，６ａ′，６ｂ，６ｂ′）をばね案内（８，８′）の周りに同軸状に配置し、このばね案内（８，８′）に対して、伝達部分（４ａ，４ｂ）を軸線（Ａ、Ａ′）に平行に制限範囲内で移動自在に連結した請求項４記載の手工具装置の駆動装置。
【請求項６】
第１伝達部分（４ａ）には、第２伝達部分（４ｂ）の２個の案内部分（９ｂ）間で軸線（Ａ，Ａ′）に平行に延在する軸線を有する環状スリーブ形状の案内部分（９ａ）を設けた請求項５記載の手工具装置の駆動装置。
【請求項７】
２個の圧縮コイルばね（６ａ，６ａ′，６ｂ，６ｂ′）を対にしてばね案内（８，８′）の２個のスパン（ｘ，ｙ）に配置した請求項５又は６記載の手工具装置の駆動装置。
【請求項８】
切替え伝達手段（４）に、互いに対称的に配置した２個のばね案内（８，８′）を設けた請求項５乃至７のうちのいずれか一項に記載の手工具装置の駆動装置。
【請求項９】
伝達部分（４ａ，４ｂ）にそれぞれ掛合素子（１１ａ，１１ｂ）を設け、これら掛合素子（１１ａ，１１ｂ）を、板金から曲げ出して軸線（Ａ，Ａ′）に直交する方向に前記切替えスリーブ（３，３′）に対して回転可能かつ軸線方向に移動不能に掛合可能に構成した請求項２乃至８のうちのいずれか一項に記載の手工具装置の駆動装置。
【請求項１０】
切替え伝達手段（４）には、装置ハウジングの外側から操作可能なばね負荷操作素子を連結した請求項１乃至９のうちのいずれか一項に記載の手工具装置の駆動装置。
【発明の詳細な説明】
【０００１】
【発明の属する技術分野】
本発明は、特に、コンビネーションハンマーのような手工具装置の駆動装置として構成し、回転運動から回転打撃運動、たがね動作に切替えることができる２個の切替えクラッチを有する切替え伝達手段に関するものである。
【０００２】
【従来の技術】
移行領域で異なる作動モードは、通常ばね力動作の切替え動作を行なう構成をばね弾性素子のインサートによって、ばね弾性素子の安定した状態によって切替え位置が接決定される。
【０００３】
それぞれ回転可能な駆動軸に同軸状に軸線方向に制限された範囲内で移動可能に配置した手工具装置の駆動装置の切替えスリーブをばね負荷緊張した素子によって切替え同期を行なうことはドイツ国特許第２５１１４６９号に記載されている。
【０００４】
ヨーロッパ特許第０４３７７１６号には、３個の動作モードを回転スイッチにより切替え、同期をとる切替えばねを軸線方向に移動自在の中間軸を切替え可能に連結するものが記載されている。
【０００５】
米国特許第６，０１５，０１７号には、４個の動作モードを回転スイッチにより切替える手工具装置が記載されており、この場合、偏心カムによってばね負荷した第１切替えスリーブの同期をとり、また湾曲ディスク及びこの湾曲ディスクの接触端部によってばね負荷摺動板を同期させ、第１切替えスリーブに直交配置した第２切替えスリーブの切替えを行なうことが記載されている。
【０００６】
【発明が解決しようとする課題】
本発明の目的は、多くとも３個の動作モードを有する駆動装置の組み合わせ切替えのため２個の互いに平行な駆動軸に配置した切替えスリーブの同期切替えを行なうことができる手工具装置の駆動装置を得るにある。
【０００７】
【課題を解決するための手段】
この目的を達成するため、本発明は、互いに平行に離れかつそれぞれ軸線に沿って延在する２個の駆動軸を有し、各駆動軸に対してそれぞれ同軸状に軸線方向に制限された範囲内で摺動自在に配置した２個の切替えスリーブを切替え自在に設けた手工具装置の駆動装置であって、双方の切替えスリーブには、それぞれ回転自在かつ軸線方向には形状ロックで移動不能に掛合する切替え伝達手段を互いに切替え可能に連結し、この切替え伝達手段は軸線に平行な方向にばね手段によってばね負荷緊張状態にしたことを特徴とする。
【０００８】
本発明のこの構成によれば、共通の駆動ピニオンに噛合する互いに平行な回転駆動軸及び打撃駆動軸を有する手工具装置において、切替え伝達手段によって上下に重なり合った切替えスリーブに対して同期切替え作用を行なうとともに、第１切替えスリーブを介してプリセットした切替え位置に関する切替えに続いて、第２の切替えスリーブの同期をとることができるようになる。
【０００９】
ばね手段によってばね負荷緊張状態にされる伝達部分よりなる切替え伝達手段は、板金の変形により構成すると一層好適であり、製造簡単となる。
【００１０】
好適には、伝達部分は軸線に平行な方向に延在して軸線に平行な方向に案内を行なう案内面を設けると好適である。
【００１１】
ばね手段は、コンパクトな圧縮ばねとして空間を節約することができるコイルばねにより構成すると有利であり、コイルばねの各端部を伝達部分に当接すると好適である。
【００１２】
コイルばねをばね案内の周りに同軸状に配置し、このばね案内に対して双方の伝達部分が軸線に平行な方向に制限された範囲で移動自在に連結し、コイルばねを外側に曲げることにより、圧縮応力を軽減するとともに、双方の伝達部分の案内を良好に行なうことができるようになる。
【００１３】
好適な実施例においては、第１伝達部分を環状スリーブ形状に構成した案内部分を有し、この第１伝達部分の案内部分を第２伝達部分の２個の案内部分間で軸線に平行な方向に沿って移動自在に配置し、双方の伝達部分の案内部分間に軸線に平行な方向に限定的な２個の端部止め部並びに互いに長さが逆比例的に変化するスパンを構成する。
【００１４】
好適な実施例においては、２個のコイルばねを対にして案内部分の２個のスパンに沿って配置し、コイルばねをそれぞれ軸線に平行な方向に異なるスパンに配置し、切替え伝達手段の圧縮又は伸張によって異なるばね特性を示すことができるようにする。
【００１５】
更に好適な実施例においては、案内部分を軸線に平行な方向に中空の、好ましくはスリーブ形状に構成し、切替え伝達手段を全体として案内部分に同軸状に掛合する軸受素子に支持かつ軸線に平行な方向に案内自在とする構成とする。
【００１６】
更に他の好適な実施例においては、切替え伝達手段を、それぞれ軸受素子に配置して対称的に設けた２個のばね案内と、案内部分と、コイルばねとにより構成し、これにより、コイルばねが中間領域における対称的に保持することによって切替え伝達手段の端縁領域の傾動のない移動を可能にし、従って、コンパクトな構造にすることができる。
【００１７】
更に、本発明の好適な実施例においては、各伝達部分に掛合素子を設け、これら掛合素子を軸線に直交する方向に切替えスリーブに対して相対回転可能かつ軸線方向には形状ロックで移動不能に掛合するように構成し、更に、この掛合素子は板金から曲げ出して形成すると、掛合素子を伝達部分に一体的にかつ簡単に製造することができるようになる。
【００１８】
更に、本発明の好適な実施例においては、掛合素子には円弧状の凹面収容部を設け、切替えスリーブの周囲に形成した環状溝に掛合する構成とすると、切替えスリーブの環状溝の掛合部分の内部での使用寿命を短くする恐れのある接触圧力を小さくすることができる。
【００１９】
更に、本発明の好適な実施例においては、切替え伝達手段の伝達部分は、装置ハウジングの外側から操作可能な、好適には、同期動作のためばね負荷緊張状態にしたばね負荷操作素子を連結し、少なくとも３個の異なる軸線方向の切替え位置をとることができるようにし、現場で少なくとも３個の異なる動作モードに切替えることができるようにする。
【００２０】
【発明の実施の形態】
次に、図面につき本発明の好適な実施の形態を説明する。
【００２１】
図１には、詳細には示さない空気圧動作のコンビネーションハンマーとして構成した手工具装置のための駆動装置１を示し、この駆動装置１には、互いに半径方向に距離をおいて平行に配置し、それぞれ軸線Ａ，Ａ′を有する２個の駆動軸即ち、回転駆動軸２及び打撃駆動軸２′を設け、これら駆動軸２，２′に対して軸線方向に制限された範囲内で同軸状に移動自在に配置した切替えスリーブ３，３′を設け、双方の切替えスリーブ３，３′は切替え伝達手段４により互いに切替え可能に連結し、この切替え伝達手段４は、切替えスリーブ３，３′に設けた周方向の環状溝５，５′に対して相対回転自在かつ軸線方向には形状ロックするよう掛合する。
【００２２】
図２に示すように、金属板を変形させて構成した切替え伝達手段４に２個の伝達部分４ａ，４ｂを設け、これら伝達部分４ａ，４ｂには、伝達部分４ａ、４ｂに端部を当接した４個の圧縮ばねよりなるばね手段６により軸線Ａ，Ａ′に沿う方向にばね負荷を加える。伝達部分４ａ，４ｂには軸線Ａ，Ａ′に沿った案内を行なうための案内面７ａ，７ｂを設ける。個別のコイルばね６ａ，６ｂ，６ａ′，６ｂ′をばね案内８，８′の周りに同軸状に配置し、これらばね案内８，８′に対して双方の伝達部分４ａ，４ｂを連結し、軸線Ａ，Ａ′に沿って制限された範囲内で移動自在にする。第１伝達部分４ａには、第２伝達部分４ｂの２個の案内部分９ｂ間で軸線Ａ，Ａ′に平行な環状スリーブ形状の案内部分９ａを設け、案内部分９ａ，９ｂ間のスパンｘ，ｙにそれぞればね６ａ，６ｂを配置する。スリーブ形状のばね案内８，８′を軸線Ａ，Ａ′に平行な軸受素子１０，１０′に同軸状に沿って摺動自在に配置する。切替え伝達手段４には、端縁領域に対称的に配置した２個のばね案内８，８′を設け、これらばね案内８，８′にそれぞれ軸受素子１０，１０′、案内部分９ａ，９ｂ，９ａ′，９ｂ′、及びコイルばね６ａ，６ｂ，６ａ′，６ｂ′を設ける。
【００２３】
図３に示すように、伝達部分４ａ，４ｂには、それぞれ掛合素子１１ａ，１１ｂを設け、これら掛合素子１１ａ，１１ｂは軸線Ａ，Ａ′に対して直交させて曲げ出した板金により構成しかつそれぞれ円弧状の凹面収容部１２ａ，１２ｂを設ける。
【図面の簡単な説明】
【図１】  本発明による手工具装置の駆動装置の線図的断面図である。
【図２】  切替え伝達手段の詳細を示す一部断面とする側面図である。
【図３】  切替え伝達手段の詳細を示す平面図である。
【符号の説明】
1   駆動装置
2   回転駆動軸
2′ 打撃駆動軸
3,3′ 切替えスリーブ
4   切替え伝達手段
4a,4b  伝達部分
5,5′ 環状溝
6   ばね手段
6a,6b,6a',6b' コイルばね
7a,7b   案内面
8,8′ ばね案内
9a,9b,9a'9b'  案内部分
10,10′ 軸受素子
11a,11b   掛合素子
12a,12b   凹面収容部
【図１】
0004195229.tif 000002
【図２】
0004195229.tif 000003
【図３】
0004195229.tif 000004